(57)【特許請求の範囲】
【請求項１】
第１被写体を含む第１動画像データと、前記第１動画像データと共通の時刻情報に関連付けられており第２被写体を含む第２動画像データと、を取得するデータ取得部と、
前記第１動画像データ又は前記第２動画像データの少なくともいずれかを表示部に表示させる表示制御部と、
前記表示部に表示させる動画像データを切り替えるための切替操作を受け付ける操作受付部と、
を有し、
前記第１動画像データ及び前記第２動画像データは、前記第１被写体と前記第２被写体とが所定の位置関係で配置された状態で撮影されることにより生成されており、
前記表示制御部は、前記位置関係を示す情報を前記所定の位置関係に対応する配置で前記表示部に表示させ、前記第１動画像データを前記表示部に表示している間に前記操作受付部が前記所定の位置関係に対応する所定の向きに前記切替操作を受け付けた場合に、前記表示部に表示させる動画像データを、前記第１動画像データから前記第１動画像データの時刻と同一の時刻に対応する前記第２動画像データに切り替える、
画像表示装置。
【請求項２】
前記操作受付部は、前記表示部に表示された動画像データ上でスワイプする前記切替操作を受け付ける、
請求項１に記載の画像表示装置。
【請求項３】
前記表示制御部は、前記第１動画像データを前記表示部に表示している間に前記第１被写体から前記第２被写体に向かう向きにスワイプされたことを条件として、前記表示部に表示させる動画像データを前記第１動画像データから前記第２動画像データに切り替える、
請求項１又は２に記載の画像表示装置。
【請求項４】
前記表示制御部は、前記第１動画像データを前記表示部に表示させた時刻と前記第２動画像データを前記表示部に表示させた時刻とを記憶部に記憶させ、次回以降に前記第１動画像データ又は前記第２動画像データを前記表示部に表示させる際に、前記記憶部に記憶された時刻を参照した結果に基づいて選択した時刻の動画像データから前記表示部に表示させる、
請求項１から３のいずれか一項に記載の画像表示装置。
【請求項５】
第１被写体を含む第１動画像データと、前記第１動画像データと共通の時刻情報に関連付けられており第２被写体を含む第２動画像データと、を取得するデータ取得部と、
前記第１動画像データ又は前記第２動画像データの少なくともいずれかを表示部に表示させる表示制御部と、
前記表示部に表示させる動画像データを切り替えるための切替操作を受け付ける操作受付部と、
を有し、
前記表示制御部は、前記第１動画像データを前記表示部に表示している間に前記操作受付部が前記切替操作を受け付けた場合に、前記表示部に表示させる動画像データを、前記第１動画像データから前記第１動画像データの時刻と同一の時刻に対応する前記第２動画像データに切り替え、前記表示部に表示させる動画像データを前記第１動画像データから前記第２動画像データに切り替えた後に前記操作受付部が前記切替操作を受け付けた場合、前記第１動画像データから前記第２動画像データに切り替わった時点の時刻に対応する前記第１動画像データから表示を開始するか、前記第２動画像データから前記第１動画像データに切り替える時点の時刻に対応する前記第１動画像データから表示を開始するかを選択するための操作画面を前記表示部に表示させる、
画像表示装置。
【請求項６】
前記表示制御部は、前記第１動画像データ又は前記第２動画像データを前記表示部に表示している間に、前記第１動画像データの再生対象時刻を設定するための第１操作画像と、前記第２動画像データの表示可能時間帯を示す第２操作画像とを含むスクロールバーを前記表示部に表示させる、
請求項１から４のいずれか一項に記載の画像表示装置。
【請求項７】
第１被写体を含む第１動画像データと、前記第１動画像データと共通の時刻情報に関連付けられており第２被写体を含む第２動画像データと、を取得するデータ取得部と、
前記第１動画像データ又は前記第２動画像データの少なくともいずれかを表示部に表示させる表示制御部と、
前記表示部に表示させる動画像データを切り替えるための切替操作を受け付ける操作受付部と、
を有し、
前記表示制御部は、前記第１動画像データを前記表示部に表示している間に前記操作受付部が前記切替操作を受け付けた場合に、前記表示部に表示させる動画像データを、前記第１動画像データから前記第１動画像データの時刻と同一の時刻に対応する前記第２動画像データに切り替え、所定の操作を前記操作受付部が受け付けた場合に、前記第１動画像データ又は前記第２動画像データのうち、どちらの動画像データを前記表示部に表示させるかを選択するための第３操作画像を前記表示部に表示させる、
画像表示装置。
【請求項８】
第１被写体を含む第１動画像データと、前記第１動画像データと共通の時刻情報に関連付けられており第２被写体を含む第２動画像データと、を取得するデータ取得部と、
前記第１動画像データ又は前記第２動画像データの少なくともいずれかを表示部に表示させる表示制御部と、
前記表示部に表示させる動画像データを切り替えるための切替操作を受け付ける操作受付部と、
を有し、
前記表示制御部は、前記第１動画像データを前記表示部に表示している間に前記操作受付部が前記切替操作を受け付けた場合に、前記表示部に表示させる動画像データを、前記第１動画像データから前記第１動画像データの時刻と同一の時刻に対応する前記第２動画像データに切り替え、前記第１動画像データを前記表示部に表示している間に、前記表示部に表示させる動画像データを前記第１動画像データから前記第２動画像データに切り替えることができる時間帯であることを示す情報を前記表示部に表示させる、
画像表示装置。
【請求項９】
第１被写体を含む第１動画像データと、前記第１動画像データと共通の時刻情報に関連付けられており第２被写体を含む第２動画像データと、を取得するデータ取得部と、
前記第１動画像データ又は前記第２動画像データの少なくともいずれかを表示部に表示させる表示制御部と、
前記表示部に表示させる動画像データを切り替えるための切替操作を受け付ける操作受付部と、
を有し、
前記表示制御部は、前記第１動画像データを前記表示部に表示している間に前記操作受付部が前記切替操作を受け付けた場合に、前記表示部に表示させる動画像データを、前記第１動画像データから前記第１動画像データの時刻と同一の時刻に対応する前記第２動画像データに切り替え、前記操作受付部が前記第１動画像データを視聴する操作を受け付けた場合に、前記第１動画像データに関連付けられた前記第２動画像データを視聴するか否かの操作を受け付けるための画面を前記表示部に表示させ、
前記データ取得部は、前記第２動画像データを視聴するための操作を前記操作受付部が受け付けた場合に、動画像データを配信する装置から前記第２動画像データを取得する、
画像表示装置。
【請求項１０】
コンピュータに、
第１被写体と第２被写体とが所定の位置関係で配置された状態で撮影されることにより生成された、前記第１被写体を含む第１動画像データと、前記第１動画像データと共通の時刻情報に関連付けられており前記第２被写体を含む第２動画像データと、を取得するステップと、
表示部に表示させる動画像データを切り替えるための切替操作を受け付けるステップと、
前記位置関係を示す情報を前記所定の位置関係に対応する配置で前記表示部に表示させ、
前記第１動画像データを前記表示部に表示している間に前記所定の位置関係に対応する所定の向きに前記切替操作を受け付けた場合に、前記表示部に表示させる動画像データを、前記第１動画像データから前記第１動画像データの時刻と同一の時刻に対応する前記第２動画像データに切り替えるステップと、
を実行させるプログラム。
【発明の詳細な説明】
【技術分野】
【０００１】
本発明は、画像表示装置及びプログラムに関する。
【背景技術】
【０００２】
従来、同一の被写体を複数のアングルから同時に撮像した複数の動画像を切り替えて表示する技術が知られている（例えば、特許文献１を参照）。
【先行技術文献】
【特許文献】
【０００３】
【特許文献１】特開平７−１０７４３７号公報
【発明の概要】
【発明が解決しようとする課題】
【０００４】
例えば、動画像データに複数の被写体が含まれる場合、ユーザは、あまり映っていない一方の被写体を中心に見たいという場合がある。しかしながら、従来の技術においては、動画像に含まれる複数の被写体があった場合に、表示する動画像を切り替えることができないという問題が生じていた。
【０００５】
そこで、本発明はこれらの点に鑑みてなされたものであり、ユーザが見ることを所望する被写体が含まれている動画像を視聴できるようにすることを目的とする。
【課題を解決するための手段】
【０００６】
本発明の第１の態様の画像表示装置は、第１被写体を含む第１動画像データと、前記第１動画像データと共通の時刻情報に関連付けられており第２被写体を含む第２動画像データと、を取得するデータ取得部と、前記第１動画像データ又は前記第２動画像データの少なくともいずれかを表示部に表示させる表示制御部と、前記表示部に表示させる動画像データを切り替えるための切替操作を受け付ける操作受付部と、を有し、前記表示制御部は、前記第１動画像データを前記表示部に表示している間に前記操作受付部が前記切替操作を受け付けた場合に、前記表示部に表示させる動画像データを、前記第１動画像データから前記第１動画像データの時刻と同一の時刻に対応する前記第２動画像データに切り替える。
【０００７】
前記操作受付部は、前記表示部に表示された動画像データ上でスワイプする前記切替操作を受け付けてもよい。
【０００８】
前記第１動画像データ及び前記第２動画像データは、前記第１被写体と前記第２被写体とが所定の位置関係で配置された状態で撮影されることにより生成されており、前記表示制御部は、前記所定の位置関係に対応する所定の向きにスワイプされたことを条件として、前記表示部に表示させる動画像データを切り替えてもよい。
【０００９】
前記表示制御部は、前記第１動画像データを前記表示部に表示している間に前記第１被写体から前記第２被写体に向かう向きにスワイプされたことを条件として、前記表示部に表示させる動画像データを前記第１動画像データから前記第２動画像データに切り替えてもよい。
【００１０】
前記表示制御部は、前記第１動画像データを前記表示部に表示させた時刻と前記第２動画像データを前記表示部に表示させた時刻とを記憶部に記憶させ、次回以降に前記第１動画像データ又は前記第２動画像データを前記表示部に表示させる際に、前記記憶部に記憶された時刻を参照した結果に基づいて選択した時刻の動画像データから前記表示部に表示させてもよい。
【００１１】
前記表示制御部は、前記表示部に表示させる動画像データを前記第１動画像データから前記第２動画像データに切り替えた後に前記操作受付部が前記切替操作を受け付けた場合、前記第１動画像データから前記第２動画像データに切り替わった時点の時刻に対応する前記第１動画像データから表示を開始するか、前記第２動画像データから前記第１動画像データに切り替える時点の時刻に対応する前記第１動画像データから表示を開始するかを選択するための操作画面を前記表示部に表示させてもよい。
【００１２】
前記表示制御部は、前記第１動画像データ又は前記第２動画像データを前記表示部に表示している間に、前記第１動画像データの再生対象時刻を設定するための第１操作画像と、前記第２動画像データの表示可能時間帯を示す第２操作画像とを含むスクロールバーを前記表示部に表示させてもよい。
【００１３】
前記表示制御部は、所定の操作を前記操作受付部が受け付けた場合に、前記第１動画像データ又は前記第２動画像データのうち、どちらの動画像データを前記表示部に表示させるかを選択するための第３操作画像を前記表示部に表示させてもよい。
【００１４】
前記表示制御部は、前記第１動画像データを前記表示部に表示している間に、前記表示部に表示させる動画像データを前記第１動画像データから前記第２動画像データに切り替えることができる時間帯であることを示す情報を前記表示部に表示させてもよい。
【００１５】
前記表示制御部は、前記操作受付部が前記第１動画像データを視聴する操作を受け付けた場合に、前記第１動画像データに関連付けられた前記第２動画像データを視聴するか否かの操作を受け付けるための画面を前記表示部に表示させ、前記データ取得部は、前記第２動画像データを視聴するための操作を前記操作受付部が受け付けた場合に、動画像データを配信する装置から前記第２動画像データを取得してもよい。
【００１６】
本発明の第２の態様のプログラムは、コンピュータに、第１被写体を含む第１動画像データと、前記第１動画像データと共通の時刻情報に関連付けられており第２被写体を含む第２動画像データと、を取得するステップと、表示部に表示させる動画像データを切り替えるための切替操作を受け付けるステップと、前記第１動画像データを前記表示部に表示している間に前記切替操作を受け付けた場合に、前記表示部に表示させる動画像データを、前記第１動画像データから前記第１動画像データの時刻と同一の時刻に対応する前記第２動画像データに切り替えるステップと、を実行させる。
【発明の効果】
【００１７】
本発明によれば、ユーザが見ることを所望する被写体が含まれている動画像を視聴できるようになるという効果を奏する。
【図面の簡単な説明】
【００１８】
【図１】本実施形態に係る画像表示装置の概要を説明するための図である。
【図２】本実施形態に係る画像配信システムＳの構成を示す図である。
【図３】画像表示装置１の構成を示す図である。
【図４】スクロールバーが表示された画面の一例を示す図である。
【図５】ユーザが第２操作画像Ｇ２をタッチした状態を示す図である。
【図６】画像表示装置１の動作の流れを示すフローチャートである。
【発明を実施するための形態】
【００１９】
［画像表示装置１の概要］
図１は、本実施形態に係る画像表示装置１の概要を説明するための図である。画像表示装置１は、動画像データを見るユーザが使用する装置であり、例えばパーソナルコンピュータ、スマートフォン又はタブレットである。画像表示装置１は、動画像データを表示するためのディスプレイを有していれば、任意の装置であってよい。
【００２０】
画像表示装置１は、動画像データに複数の被写体が含まれる場合に、表示する対象となる被写体をユーザが選択できることを特徴としている。被写体は、カメラで撮影された人又は物体であってもよく、作成されたアニメーションのキャラクターであってもよい。
【００２１】
図１（ａ）は、第１被写体Ｃ１及び第２被写体Ｃ２が含まれている全体動画像データＺを示している。全体動画像データＺは、第１被写体Ｃ１及び第２被写体Ｃ２以外の被写体を含んでいてもよい。図１（ｂ）は、第１被写体Ｃ１を含む第１動画像データが画像表示装置１に表示されている状態を示している。図１（ｃ）は、第２被写体Ｃ２を含む第２動画像データが画像表示装置１に表示されている状態を示している。図１（ｂ）及び図１（ｃ）においては、ユーザの手Ｈも模式的に示されている。
【００２２】
図１（ｂ）に示す第１動画像データが画像表示装置１に表示されている状態で、画像表示装置のユーザが右向きにスワイプ操作をすると、図１（ｃ）に示す第２動画像データが画像表示装置１に表示されている状態に切り替わる。図１（ｃ）に示す第２動画像データが画像表示装置１に表示されている状態で、画像表示装置のユーザが左向きにスワイプ操作をすると、図１（ｂ）に示す第１動画像データが画像表示装置１に表示されている状態に切り替わる。
【００２３】
このように、画像表示装置においては、一つの動画像データに含まれている複数の動画像データ又はそれぞれ別々の複数の動画像データをユーザが切り替えて表示することができるので、ユーザが見ることを所望する被写体が含まれている動画像を容易に視聴することが可能になる。このような画像表示装置は、ユーザが好きな俳優が出演しているドラマや映画をユーザが見る場合、又はユーザが好きな選手が出場しているサッカーや野球等の試合の動画をユーザが見る場合等に好適である。
【００２４】
［画像配信システムＳの構成］
図２は、本実施形態に係る画像配信システムＳの構成を示す図である。画像配信システムＳは、複数の画像表示装置１と画像配信装置２とを有する。画像表示装置１及び画像配信装置２は、ネットワークＮを介して各種のデータを送受信する。ネットワークＮは、例えばインターネット又は携帯電話網を含む。
【００２５】
画像配信装置２は、動画像データを複数の画像表示装置１に配信するサーバである。画像配信装置２は、複数の動画像データを記憶する記憶媒体を有しており、画像表示装置１から指定された動画像データを画像表示装置１に配信する。画像配信装置２は、同一の動画像データを複数の画像表示装置１に配信してもよく、異なる動画像データを複数の画像表示装置１に配信してもよい。
【００２６】
［画像表示装置１の構成］
図３は、画像表示装置１の構成を示す図である。画像表示装置１は、通信部１１と、表示部１２と、操作部１３と、記憶部１４と、制御部１５と、を有する。制御部１５は、データ取得部１５１と、操作受付部１５２と、表示制御部１５３と、を有する。
【００２７】
通信部１１は、通信部１１は、ネットワークＮを介して画像配信装置２から動画像データを受信するための通信インターフェースである。通信部１１は、受信した動画像データをデータ取得部１５１に入力する。
【００２８】
表示部１２は、表示制御部１５３から入力された動画像データを表示する。表示部１２は、例えばディスプレイである。
【００２９】
操作部１３は、ユーザの操作を受けるためのデバイスであり、例えば表示部１２に重ねて設けられたタッチパネルである。操作部１３は、ユーザが操作した位置を示す座標情報を操作受付部１５２に通知する。
【００３０】
記憶部１４は、ＲＯＭ（Read Only Memory）及びＲＡＭ（Random Access Memory）を含む記憶媒体である。記憶部１４は、制御部１５が実行するプログラムを記憶している。記憶部１４は、通信部１１が受信した動画像データを一時的に記憶してもよい。
【００３１】
制御部１５は、例えばＣＰＵ（Central Processing Unit）を有しており、記憶部１４に記憶されたプログラムを実行することにより、データ取得部１５１、操作受付部１５２及び表示制御部１５３として機能する。
【００３２】
データ取得部１５１は、通信部１１を介して、第１被写体Ｃ１を含む第１動画像データと、第１動画像データと共通の時刻情報に関連付けられており第２被写体Ｃ２を含む第２動画像データと、を画像配信装置２から取得する。共通の時刻情報は、被写体Ｃ１及び被写体Ｃ２を含む全体動画像データＺの開始時点からの経過時間に対応する時刻を示す情報である。データ取得部１５１は、第１動画像データ及び第２動画像データを含む全体動画像データＺをさらに取得してもよい。データ取得部１５１は、取得した第１動画像データ及び第２動画像データを表示制御部１５３に入力する。データ取得部１５１は、取得した第１動画像データ及び第２動画像データを記憶部１４に保存してもよい。
【００３３】
本実施形態において、第１動画像データは、主として表示されることが想定されているメイン動画像データであり、第２動画像データは、一部の時間帯において表示することが可能なサブ動画像データである。ユーザは、例えば、第１動画像データを常に見ることができ、一部の時間帯においてのみ第１動画像データを第２動画像データに切り替えることができる。
【００３４】
操作受付部１５２は、操作部１３を介して、表示部１２に表示させる動画像データを切り替えるための切替操作を受け付ける。操作受付部１５２は、例えば、表示部１２に表示された動画像データ上でスワイプする切替操作を受け付ける。このように、切替操作は、例えば図１を参照しながら説明したスワイプ操作であるが、切替操作の方法は任意であり、表示部１２に表示された操作用の画像にタッチする操作のような他の方法であってもよい。
【００３５】
例えば、操作受付部１５２は、スワイプ操作をする向きを示す左向きの矢印の画像又は右向きの矢印の画像を表示部１２の画面上に表示させてもよい。操作受付部１５２は、このような矢印の画像を表示させた状態で、タッチされた矢印の向きに応じて切替操作の内容を特定してもよい。後述するように、第２動画像データに切り替えることができる時間帯が限られている場合、操作受付部１５２は、第２動画像データに切り替えることができる時間帯においてのみ、スカイプ操作やタッチ操作を促すための情報を表示したり、当該時間帯に切り替えができる向きの矢印の画像のみを表示したりしてもよい。
【００３６】
また、操作受付部１５２は、動画像データのうち表示するチャプター（例えばシーン）を切り替えるための操作を受け付けてもよい。この切替操作の方向は、動画像データを切り替えるための操作と異なる方向であり、例えば上下方向である。操作受付部１５２は、下向きのスワイプ操作が行われたり、下向きの矢印の画像がタッチされたりした場合に、前のチャプターに切り替え、上向きのスワイプ操作が行われたり、上向きの矢印の画像がタッチされたりした場合に、後のチャプターに切り替える。操作受付部１５２は、切替操作の内容を表示制御部１５３に通知する。
【００３７】
表示制御部１５３は、表示部１２に表示させる画面データを作成し、画面データを表示部１２に入力することにより、表示部１２に各種の動画像データを表示させる。表示制御部１５３は、図１（ｂ）及び図１（ｃ）に示したように、第１動画像データ又は第２動画像データの少なくともいずれかを表示部１２に表示させる。表示制御部１５３は、第１被写体Ｃ１及び第２被写体Ｃ２を含む全体動画像データＺを表示部１２に表示させてもよい。
【００３８】
表示制御部１５３は、第１動画像データを表示部１２に表示している間に操作受付部１５２が切替操作を受け付けた場合に、表示部１２に表示させる動画像データを、第１動画像データから第１動画像データの時刻と同一の時刻に対応する第２動画像データに切り替える。第１動画像データの時刻と同一の時刻に対応する第２動画像データは、当該第１動画像データと同じ全体動画像データＺに含まれている第２動画像データであってもよい。
【００３９】
ここで、一例として、第１動画像データ及び第２動画像データは、第１被写体Ｃ１と第２被写体Ｃ２とが所定の位置関係で配置された状態で撮影されることにより生成されている。図１に示した例の場合、全体動画像データＺにおいて、被写体Ｃ１が右側、被写体Ｃ２が左側に配置されている。この場合、表示制御部１５３は、上記の所定の位置関係に対応する所定の向きにスワイプされたことを条件として、表示部１２に表示させる動画像データを切り替えてもよい。
【００４０】
表示制御部１５３は、例えば、スワイプ操作の向きに配置されている被写体が含まれる動画像データに切り替える。具体的には、図１に示した例の場合、表示制御部１５３は、第１動画像データを表示部１２に表示している間に第１被写体Ｃ１から第２被写体Ｃ２の側と反対の向きにスワイプされたことを条件として、表示部１２に表示させる動画像データを第１動画像データから第２動画像データに切り替える。表示制御部１５３は、スワイプ操作の向きの側に配置されている被写体が含まれる動画像データに切り替えてもよい。
【００４１】
図１に示した例の場合、表示制御部１５３は、図１（ｂ）に示すように第１動画像データが表示部１２に表示されている状態で、被写体Ｃ２が配置されている側である右側に向けたスワイプ操作が行われた場合に第２動画像データに切り替えて、左側に向けたスワイプ操作が行われた場合には第２動画像データに切り替えない。同様に、表示制御部１５３は、図１（ｃ）に示すように第２動画像データが表示部１２に表示されている状態で、被写体Ｃ１が配置されている側である左側に向けたスワイプ操作が行われた場合に第１動画像データに切り替えて、右側に向けたスワイプ操作が行われた場合には第１動画像データに切り替えない。表示制御部１５３がこのように動作することで、ユーザが誤操作することにより動画像データが切り替わってしまうことを抑制することができる。
【００４２】
このように、スワイプ操作の向きによって切り替え先の動画像データを選べるようにすることは、全体動画像画像データに３つ以上の被写体が含まれている場合に特に好適である。例えば図１（ａ）に示した被写体Ｃ１の右側に第３被写体が含まれている場合、表示制御部１５３は、図１（ｂ）の状態で左向きのスワイプ操作が行われたことに応じて、第３被写体が含まれる第３動画像データを表示部１２に表示させる。表示制御部１５３は、第３動画像データが表示された状態で、右向きのスワイプ操作が２回行われたことに応じて、第２被写体Ｃ２が含まれる第２動画像データを表示部１２に表示させる。このように表示制御部１５３が動作することで、３以上の被写体が全体動画像データＺに含まれている場合に、ユーザが、見たい被写体が含まれている動画像データに容易に切り替えることができる。
【００４３】
表示制御部１５３は、ユーザが適切な向きのスワイプ操作をすることができるように、全体動画像データＺにおける複数の被写体の位置関係を示す情報を表示部１２に表示させてもよい。一例として、表示制御部１５３は、複数の被写体それぞれに対応するアイコン画像を、複数の被写体それぞれの位置関係に対応する配置で表示する。表示制御部１５３がこのようなアイコン画像を表示することで、ユーザが所望の被写体を見えるようにするためのスワイプ操作を間違えなく行うことができる。なお、表示制御部１５３は、スワイプ操作により動画像データを切り替える代わりに、所定のアイコン画像が選択されたことにより、選択されたアイコン画像に対応する被写体が含まれる動画像データに切り替えてもよい。
【００４４】
表示制御部１５３は、第１動画像データを表示部１２に表示している間に、表示部１２に表示させる動画像データを第１動画像データから第２動画像データに切り替えることができる時間帯であることを示す情報を表示部１２に表示させてもよい。表示制御部１５３は、例えば、第２動画像データを表示可能な時間帯において、第２動画像データに切り替えることができることを示すアイコン画像を表示部１２に表示させる。表示制御部１５３がこのように動作することで、第２動画像データを表示できない時間帯であるにもかかわらずユーザがスワイプ操作をしてしまうことを抑制できる。
【００４５】
表示制御部１５３は、第１動画像データ又は第２動画像データを表示部１２に表示している間に、第１動画像データの再生対象時刻を設定するための第１操作画像と、第２動画像データの表示可能時間帯を示す第２操作画像とを含むスクロールバーを表示部１２に表示させてもよい。図４は、スクロールバーが表示された画面の一例を示す図である。
【００４６】
図４に示す画面には、第１動画像データが表示されている。また、図４に示す画面には、第１動画像データの表示可能時間帯が０から３０分００秒までであることを示す操作画像Ｇ０と、第１動画像データの再生対象時刻を設定するための第１操作画像Ｇ１と、第２動画像データの表示可能時間帯を示す第２操作画像Ｇ２とが含まれている。ユーザは、第１操作画像Ｇ１の位置を動かすことで、第１動画像データが表示される時刻を変更することができる。
【００４７】
表示制御部１５３は、第２操作画像Ｇ２が示されている時刻において、第１動画像データが表示されている状態で操作受付部１５２が右向きのスワイプ操作を受け付けた場合、第２動画像データに切り替える。表示制御部１５３は、第２操作画像Ｇ２が示されていない時刻において、第１動画像データが表示されている状態で操作受付部１５２が右向きのスワイプ操作を受け付けた場合、動画像データを切り替えない。この場合、表示制御部１５３は、例えば「切り替えられる画像がありません」といった警告を表示してもよい。
【００４８】
表示制御部１５３は、スワイプ操作を支援するための情報をさらに表示してもよい。表示制御部１５３は、例えば、スワイプ操作をするべき向きを示す矢印の画像を表示させてもよい。また、表示制御部１５３は、矢印の画像とともに、矢印の向きにスワイプ操作をすることにより表示される被写体の名称を表示してもよい。表示制御部１５３が矢印の画像と被写体の名称を表示することで、ユーザは、動画像データを切り替える方がよいかどうかを判断しやすくなるとともに、正しい向きに操作をしやすくなる。
【００４９】
表示制御部１５３は、図４に示す状態で所定の操作を操作受付部１５２が受け付けた場合に、第１動画像データ又は第２動画像データのうち、どちらの動画像データを表示部１２に表示させるかを選択するための第３操作画像Ｇ３を表示部１２に表示させてもよい。所定の操作は、第１動画像データ又は第２動画像データを表示可能な時刻の動画像データを表示させるための操作であり、例えば第２操作画像Ｇ２にタッチする操作である。
【００５０】
図５は、ユーザが第２操作画像Ｇ２をタッチした状態を示す図である。第２操作画像Ｇ２に示されている時間帯においては、表示制御部１５３が、第１動画像データ又は第２動画像データのいずれかを表示することができる。この場合、表示制御部１５３は、ユーザが指定した時刻の第１動画像データを見たいのか、当該時刻の第２動画像データを見たいのかを判別することができない。そこで、表示制御部１５３は、メイン動画像データである第１動画像データを選ぶための画像と、サブ動画像データである第２動画像データのどちらか一方を選ぶための画像とを含む第２操作画像Ｇ３を表示する。
【００５１】
図５（ａ）においては、「メイン」が実線で示されており、「サブ」が破線で示されており、第１動画像データが表示されていることをユーザが認識できるようになっている。この状態で、ユーザが「サブ」を選択すると、表示制御部１５３は、図５（ｂ）のように被写体Ｃ２を含む第２動画像データに切り替える。表示制御部１５３がこのように動作することで、複数の動画像データを表示可能な時刻においても、ユーザが、見たい動画像データを容易に指定することができる。なお、表示制御部１５３は、図５における「メイン」及び「サブ」の代わりに、それぞれ第１被写体Ｃ１の名称と第２被写体Ｃ２の名称を表示してもよい。
【００５２】
［表示時刻の記録］
表示制御部１５３は、第１動画像データを表示部１２に表示させた時刻と第２動画像データを表示部１２に表示させた時刻とを記憶部１４に記憶させてもよい。この場合、表示制御部１５３は、次回以降に第１動画像データ又は第２動画像データを表示部１２に表示させる際に、記憶部１４に記憶された時刻を参照した結果に基づいて選択した時刻の動画像データを表示部１２に表示させてもよい。
【００５３】
表示制御部１５３は、例えば、０分から５分まで第１動画像データを表示させ、５分から１０分まで第２動画像データを表示させたことを記憶部１４に記憶させた後に、操作受付部１５２が、動画像データを再生する操作を開始した場合に、記憶させた最後の時刻（１０分）の時点から、最後の時刻に表示していた動画像データ（上記の場合は第２動画像データ）の表示を開始する。表示制御部１５３がこのように動作することで、ユーザが動画像データの視聴を中断してから再開した場合に、中断前と同じ状態で視聴を再開することができる。
【００５４】
表示制御部１５３は、ユーザが動画像データの視聴を再開するための操作をした場合に、表示部１２に記憶された時刻に基づいて、第１動画像データ及び第２動画像データのうち、動画像データの視聴を中断する前の所定の期間内に、より長く視聴されていた動画像データから表示部１２に表示させてもよい。所定の期間は、例えば、視聴されていた第１動画像データ及び第２動画像データを含む全体動画像データＺの視聴が開始されてから終了するまでの期間である。表示制御部１５３がこのように動作することで、例えば、中断する直前に視聴していた動画像データが、ユーザが見たい被写体が含まれる動画像データでない場合であっても、ユーザが、見たい被写体が含まれる動画像データから視聴を再開することが可能になる。
【００５５】
表示制御部１５３は、表示部１２に表示させる動画像データを第１動画像データから第２動画像データに切り替えた後に操作受付部１５２が切替操作を受け付けた場合、第１動画像データの表示をどの時点から再開するかをユーザが指定するための操作画面を表示部１２に表示させてもよい。第１動画像データの表示を再開する時点としては、以下の２つの時点が想定される。
（１）  直前に第１動画像データから第２動画像データに切り替わった時点
（２）  第２動画像データから第１動画像データに切り替える時点
【００５６】
そこで、表示制御部１５３は、第１動画像データから第２動画像データに切り替わった時点の第１時刻に対応する第１動画像データから表示を開始するか、第２動画像データから第１動画像データに切り替える時点の第２時刻に対応する第１動画像データから表示を開始するかを選択するための操作画面を表示部１２に表示させてもよい。表示制御部１５３は、ユーザが前者を選択した場合、第１時刻に対応する第１動画像データから表示を開始し、ユーザが後者を選択した場合、第２時刻に対応する第１動画像データから表示を開始する。表示制御部１５３がこのように動作することで、ユーザが、第２動画像データを見ていた間の第１動画像データを見たいという場合に、ユーザが容易に当該第１動画像データを見ることが可能になる。
【００５７】
なお、表示制御部１５３は、例えば、切替操作が行われた時点での第１動画像データの再生位置を記憶しておき、ユーザが後者を選択した場合に、記憶した位置から第１動画像データの再生を開始する。表示制御部１５３は、第１動画像データを常時再生しており、切替操作を受け付けると、再生している第１動画像データを表示するように切り替えてもよい。
【００５８】
［画像表示装置１の動作の流れ］
図６は、画像表示装置１の動作の流れを示すフローチャートである。図６に示すフローチャートは、ユーザが動画像データの視聴を開始するための操作を行った時点から開始している。
【００５９】
視聴を開始するための操作を操作受付部１５２が受け付けた場合、データ取得部１５１は、画像配信装置２から動画像データの取得を開始する（Ｓ１１）。そして、表示制御部１５３は、デフォルトで表示するメイン動画像データに設定されている第１動画像データの表示を開始する（Ｓ１２）。
【００６０】
この状態で、表示制御部１５３は、操作受付部１５２と連携して、スワイプ操作が行われたかどうかを監視する（Ｓ１３）。表示制御部１５３は、スワイプ操作が行われた場合に（Ｓ１３においてＹＥＳ）、スワイプ操作の向きが第２被写体Ｃ２に対応する向きかどうかを判定する（Ｓ１４）。さらに、表示制御部１５３は、スワイプ操作の向きが被写体Ｃ２に対応する向きである場合に（Ｓ１４においてＹＥＳ）、第２動画像データを表示可能な時間帯であるか否かを判定する（Ｓ１５）。
【００６１】
表示制御部１５３は、第２動画像データを表示可能な時間帯であると判定した場合に（Ｓ１５においてＹＥＳ）、第２動画像データに切り替える（Ｓ１６）。表示制御部１５３は、Ｓ１３、Ｓ１４、Ｓ１５のいずれかにおいてＮＯと判定した場合には、第２動画像データに切り替えることなく第１動画像データを継続して表示部１２に表示させる。
【００６２】
第２動画像データを表示部１２に表示させている状態で、表示制御部１５３は、スワイプ操作が行われたかどうかを監視し（Ｓ１７）、スワイプ操作が行われた場合に（Ｓ１７においてＹＥＳ）、スワイプ操作の向きが第１被写体Ｃ１に対応する向きかどうかを判定する（Ｓ１８）。表示制御部１５３は、スワイプ操作の向きが被写体Ｃ１に対応する向きである場合に（Ｓ１８においてＹＥＳ）、第２動画像データを表示可能な時間帯が終了しているか否かを判定する（Ｓ１９）。
【００６３】
表示制御部１５３は、当該時間帯が終了していないと判定した場合（Ｓ１９においてＮＯ）、第２動画像データを継続して表示部１２に表示させる。一方、表示制御部１５３は、当該時間帯が終了していると判定した場合（Ｓ１９においてＹＥＳ）、動画像データの表示処理を終了するための操作をユーザが行ったか否かを確認する（Ｓ２０）。表示制御部１５３は、動画像データの表示処理を終了するための操作が行われていないと判定した場合（Ｓ２０においてＮＯ）、Ｓ１２に処理を戻して第１動画像データに切り替える。
【００６４】
［変形例］
以上の説明においては、表示制御部１５３が第１動画像データを表示部１２に表示させている時点で、データ取得部１５１が予め第２動画像データを取得しておくという動作を例示したが、データ取得部１５１が第２動画像データを取得するタイミングはこれに限らない。表示制御部１５３は、操作受付部１５２が第１動画像データを視聴する操作を受け付けた場合に、第１動画像データに関連付けられた第２動画像データを視聴するか否かの操作を受け付けるための画面を表示部１２に表示させてもよい。そして、データ取得部１５１は、第２動画像データを視聴するための操作を操作受付部１５２が受け付けた場合に、画像配信装置２から第２動画像データを取得してもよい。
制御部１５がこのように動作することで、記憶部１４が第２動画像データを大量に記憶する必要がないので、記憶部１４の容量を削減することができる。
【００６５】
データ取得部１５１は、第１動画像データが再生されている間に表示制御部１５３がスワイプ操作を受け付けることができることを示す情報（例えば、スライドバーや矢印の画像）を表示した場合に、切り替え後に表示すべき第２動画像データを取得済であるか否かを判定してもよい。そして、データ取得部１５１は、第２動画像データを取得済でないと判定した場合に、画像配信装置２から第２動画像データを取得する。なお、表示制御部１５３は、データ取得部１５１が第２動画像データの取得が完了するまでの間、第１動画像データの再生を停止して、停止した時刻を記憶し、データ取得部１５１が第２動画像データを取得すると、記憶した時刻に対応する位置から第２動画像データの再生を開始してもよい。
【００６６】
［画像表示装置１による効果］
以上説明したように、データ取得部１５１は、共通の時刻情報に関連付けられた第１動画像データ及び第２動画像データを取得し、表示制御部１５３は、第１動画像データを表示部１２に表示している間に操作受付部１５２が切替操作を受け付けた場合に、表示部１２に表示させる動画像データを、第１動画像データから第１動画像データの時刻と同一の時刻に対応する第２動画像データに切り替える。画像表示装置１がこのように構成されていることで、ユーザが見ることを所望する被写体が含まれていない第１動画像データを視聴している間に、当該被写体が含まれている第２動画像データを容易に視聴できるようになる。
【００６７】
本発明は、複数の競技者が登場するスポーツの動画像データにも好適である。画像表示装置１が、例えばサッカーの試合の動画像データを表示する場合、ユーザは、スワイプ操作や矢印の画像へのタッチ操作により、どちらのチームを中心に視聴するかを切り替えることができる。
【００６８】
画像表示装置１は、複数のカメラで撮影された複数の選手に対応する複数の動画像データを切り替えて表示してもよい。表示制御部１５３は、例えば図５に示した第２操作画像Ｇ２においてスワイプ操作又は矢印の画像へのタッチ操作が行われると、操作内容に対応するプレーヤーを中心に撮影した動画像データに切り替える。この場合、表示制御部１５３は、その後、複数のプレーヤーに対応する複数の動画像データがある時間帯において、先の操作によって選択されたプレーヤーに対応する動画像データを自動的に表示してもよい。表示制御部１５３は、このようにユーザが選択したプレーヤーが登場する場面の動画像データを繋げた状態で再生してもよい。表示制御部１５３がこのように動作することで、ユーザは、好きなプレーヤーを中心とする動画像データを視聴しやすくなる。
【００６９】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００７０】
１  画像表示装置
２  画像配信装置
１１  通信部
１２  表示部
１３  操作部
１４  記憶部
１５  制御部
１５１  データ取得部
１５２  操作受付部
１５３  表示制御部
【要約】
【課題】ユーザが見ることを所望する被写体が含まれている動画像を視聴できるようにする。
【解決手段】画像表示装置１は、第１被写体を含む第１動画像データと、第１動画像データと共通の時刻情報に関連付けられており第２被写体を含む第２動画像データと、を取得するデータ取得部１５１と、第１動画像データ又は第２動画像データの少なくともいずれかを表示部１２に表示させる表示制御部１５３と、表示部１２に表示させる動画像データを切り替えるための切替操作を受け付ける操作受付部１５２と、を有する。表示制御部１５３は、第１動画像データを表示部に表示している間に操作受付部が切替操作を受け付けた場合に、表示部１２に表示させる動画像データを、第１動画像データから第１動画像データの時刻と同一の時刻に対応する第２動画像データに切り替える。
【選択図】図３【図１】
0006926304.tif 000002
【図２】
0006926304.tif 000003
【図３】
0006926304.tif 000004
【図４】
0006926304.tif 000005
【図５】
0006926304.tif 000006
【図６】
0006926304.tif 000007